(57)【特許請求の範囲】
【請求項１】
クランクシャフトを回転可能に収容支持するクランクケースと、ピストンを往復動可能に収容するシリンダと、動弁装置を収容するシリンダヘッドと、該シリンダヘッドの上部に設けられてカムシャフトを上方から軸支するカムハウジングと、を備えた内燃機関の潤滑構造において、
前記カムハウジングの内部に形成される第１のオイル通路と、
該第１のオイル通路に連通するように前記シリンダヘッドの外壁上部の内部に形成される第２のオイル通路と、
該第２のオイル通路に外部からオイル配管を接続可能なように形成される配管接続部と、
を備え、
前記クランクケースの外壁にはオイルのメインギャラリが支持されており、該メインギャラリと前記第２のオイル通路の配管接続部とが外部オイル配管により接続されていることを特徴とする内燃機関の潤滑構造。
【請求項２】
前記第１のオイル通路は、前記動弁装置を構成するタペット用のオイルジェット孔に連通していることを特徴とする請求項１に記載の内燃機関の潤滑構造。
【請求項３】
前記第１のオイル通路は前記カムシャフトの軸方向に沿って直線状に形成され、前記第２のオイル通路は前記第１のオイル通路の一端に接続されていることを特徴とする請求項１又は２に記載の内燃機関の潤滑構造。
【発明の詳細な説明】
【技術分野】
【０００１】
本発明は、シリンダヘッドの上部にカムシャフトを上方から軸支するカムハウジングが設けられた内燃機関の潤滑構造に関する。
【背景技術】
【０００２】
一般に、自動二輪車あるいは自動車等の内燃機関は、クランクケース下面のオイルパン内に収容された潤滑用オイルをオイルポンプで汲み上げ、クランクケース内のクランクシャフトや、シリンダ内のピストンや、シリンダヘッド内の動弁装置等の各部に供給するための潤滑構造を備えている。
【０００３】
従来のこの種の内燃機関の潤滑構造としては、例えば、オイルポンプで汲み上げた潤滑用オイルをシリンダヘッドの内部に形成されたオイル通路を介してシリンダ内のピストンやシリンダヘッド内の動弁装置等に供給するものが公知である（例えば、特許文献１参照）。
【先行技術文献】
【特許文献】
【０００４】
【特許文献１】実開平３−６００６号公報
【発明の概要】
【発明が解決しようとする課題】
【０００５】
しかしながら、上記した従来の内燃機関の潤滑構造では、オイル通路がシリンダヘッドの内部に形成されており、オイル通路の経路や内径等がレイアウト面での制約を受けるため、必要以上にオイル通路が長くなったり、細くなったりするおそれがある。そのため、潤滑オイルがオイル通路を流通する際の抵抗を低減するのが難しく、潤滑オイルを効率よく各部に供給することができないという問題がある。
本発明は上記した課題を解決すべくなされたものであり、潤滑オイルを効率よく各部に供給することのできる内燃機関の潤滑構造を提供することを目的とする。
【課題を解決するための手段】
【０００６】
上記した目的を達成するため、本発明は、クランクシャフトを回転可能に収容支持するクランクケースと、ピストンを往復動可能に収容するシリンダと、動弁装置を収容するシリンダヘッドと、該シリンダヘッドの上部に設けられてカムシャフトを上方から軸支するカムハウジングと、を備えた内燃機関の潤滑構造において、前記カムハウジングの内部に形成される第１のオイル通路と、該第１のオイル通路に連通するように前記シリンダヘッドの外壁上部の内部に形成される第２のオイル通路と、該第２のオイル通路に外部からオイル配管を接続可能なように形成される配管接続部と、を備えていることを特徴とする。
【０００７】
この特徴によれば、前記第２のオイル通路の配管接続部に外部からオイル配管を接続することができるため、前記第１の通路に至るオイル通路がレイアウト面での制約を受け難くなり、潤滑オイルがオイル通路を流通する際の抵抗を低減することができ、潤滑オイルを効率よく各部に供給することができる。
【０００８】
また、本発明に係る内燃機関の潤滑構造において、前記クランクケースにはオイルのメインギャラリが設けられており、該メインギャラリと前記第２のオイル通路の配管接続部とが外部オイル配管により接続されていることを特徴とする。
【０００９】
この特徴によれば、前記メインギャラリと前記第２のオイル通路とを外部オイル配管で接続することにより、前記メインギャラリから前記第２のオイル通路に至る経路を短くし、曲がり部を少なくすることができるため、潤滑オイルがオイル配管を流通する際の抵抗を低減することができ、潤滑オイルを効率よく各部に供給することができる。
【００１０】
また、本発明に係る内燃機関の潤滑構造において、前記第１のオイル通路は、前記動弁装置を構成するタペット用のオイルジェット孔に連通していることを特徴とする。
【００１１】
この特徴によれば、油圧が必要な動弁装置が設けられた場合、該動弁装置に至るオイル通路の圧力損失を低減することができ、油圧を効率よく利用することができる。
【００１２】
また、本発明に係る内燃機関の潤滑構造において、前記第１のオイル通路は前記カムシャフトの軸方向に沿って直線状に形成され、前記第２のオイル通路は前記第１のオイル通路の一端に接続されていることを特徴とする。
【００１３】
この特徴によれば、直線状に形成された第１のオイル通路の一端に第２のオイル通路を接続することにより、オイル通路の圧力損失を低減し、潤滑オイルを各部に効率よく供給することができる。
【発明の効果】
【００１４】
本発明によれば、潤滑オイルを効率よく各部に供給することができる等、種々の優れた効果を得ることができる。
【図面の簡単な説明】
【００１５】
【図１】本発明の実施の形態に係る潤滑構造を備えた自動二輪車を示す右側面図である。
【図２】本発明の実施の形態に係る潤滑構造を備えたエンジンを示す斜視図である。
【図３】本発明の実施の形態に係る潤滑構造を備えたエンジンを示す平面図である。
【図４】本発明の実施の形態に係る潤滑構造を備えたカムハウジングを示す平面図である。
【図５】図３のＡ−Ａ断面図である。
【図６】図３のＢ−Ｂ断面図である。
【図７】図３のＣ−Ｃ断面図である。
【図８】図３のＤ−Ｄ断面図である。
【図９】図８のＥ−Ｅ断面図である。
【図１０】図８のＣ部分の拡大図である。
【発明を実施するための形態】
【００１６】
以下、図面を参照しつつ、本発明の実施の形態に係る内燃機関の潤滑構造について詳細に説明する。なお、本発明に係る内燃機関の潤滑構造は、自動二輪車あるいは四輪自動車に搭載される各種のガソリンエンジンを備える車両に対して有効に適用可能であるが、以下の本発明の実施の形態の説明では、図１に示すように自動二輪車１のエンジン２に適用した場合について例示して説明する。また、以下の説明において、前後、左右、上下の方向は、自動二輪車１に乗車したライダーから見た方向を基準とする。
【００１７】
図１は、本発明の実施の形態に係る潤滑構造を備えた自動二輪車１を示す右側面図である。自動二輪車１は、車体フレーム３と、車体フレーム３に搭載されたエンジン２と、車体フレーム３の前端部に軸支されたステアリング機構４と、ステアリング機構４の下端部に軸支された前輪５と、ステアリング機構４に設けられた前輪懸架装置６と、車体フレーム３の後部に上下方向へ揺動自在に軸支されたスイングアーム７と、スイングアーム７の後端部に軸支された後輪８と、車体フレーム８とスイングアーム７との間に連結された後輪懸架装置９と、を備えて構成されている。
【００１８】
車体フレーム３は、例えばツインチューブ型のものであり、前端部に配置されたヘッドパイプ１０と、ヘッドパイプ１０の直後で左右方向に拡開させて斜め後下方に延びるタンクレールを兼ねた左右一対のメインフレーム１１と、メインフレーム１１の後端部に一体に設けられて略下方に向かって延びる左右一対のセンターフレーム１２と、メインフレーム１２の後端部から斜め後上方に延びる左右一対のシートレール１３と、を備えて構成されている。
【００１９】
ヘッドパイプ１０は、ステアリングシャフト（図示省略）を介してステアリング機構４を軸支している。また、センターフレーム１２は、その長手方向の略中央部に架設されたピボット軸１４を支持し、ピボット軸１４は、スイングアーム７を軸支している。さらに、メインフレーム１１及びシートレール１３は、燃料タンク１５を下方から支持している。
エンジン２は、自動二輪車１の中央下部、より詳しくはメインフレーム１１の下方に配置されている。なお、エンジン２の構成については、後述する。
【００２０】
ステアリング機構４は、ヘッドパイプ１０及び前記ステアリングシャフトによって自動二輪車１の左右方向へ回動自在に軸支されている。ステアリング機構４は、前記ステアリングシャフトに軸支されたステアリングヘッドに設けられた左右一対のフロントフォーク１６と、フロントフォーク１６の上端近傍またはステアリングヘッドに設けられた一対のハンドルバー１７と、を備えている。左右それぞれのハンドルバー１７は、ハンドルグリップ１８を備えており、右側に配置されたハンドルグリップ１８は、スロットルグリップである。
【００２１】
前輪５は、ステアリング機構４のハンドルバー１７によって左右に回動自在に操舵され、前輪車軸１９によってフロントフォーク１６に軸支された前輪ホイール２０と、前輪ホイール２０の外周部に被着された前輪タイヤ２１と、前輪ホイール２０にボルトなどの締結部材（図示省略）によって固定された前輪ブレーキプレート２２と、を備えて構成されている。
スイングアーム７の前端部は、センターフレーム１２の上下方向において略中央に設けられたピボット軸１４に軸支されている。
【００２２】
後輪１３は、後輪車軸２３によってスイングアーム７に軸支された後輪ホイール２４と、後輪ホイール２４の外周部に被着された後輪タイヤ２５と、後輪ホイール２４にボルトなどの締結部材（図示省略）によって固定された後輪ブレーキプレート２６と、を備えて構成されている。
【００２３】
後輪懸架装置９は、後輪８が捕らえた路面の凹凸によるスイングアーム７の上下方向の揺動を車体フレーム３に伝えないようにする緩衝装置であり、後輪８を路面に押さえ付ける機能を兼ねており、スプリングとショックアブソーバーとを組み合わせたサスペンションユニット（いずれも図示省略）を備えている。
【００２４】
また、自動二輪車１は、車両の少なくとも一部、例えば、前部から中央下部にかけて流線形のカウリング２７に覆われており、このカウリング２７は、自動二輪車１の走行中の空気抵抗を低減させるとともに、走行風圧からライダーを保護するように形成されている。カウリング２７は、車両の前部を覆うフロントカバー２８と、車両の後方を覆うシートカウル２９と、を備えており、シートカウル２９は着座シート３０を支持している。
【００２５】
次に、本発明の実施の形態に係る潤滑構造を備えたエンジン２について詳細に説明する。ここで、図２は本発明の実施の形態に係る潤滑構造を備えたエンジンを示す斜視図、図３はヘッドカバー及びボールスクリューカバーを取り外した状態のエンジン２を示す平面図、図４はカムハウジングを示す平面図、図５は図３のＡ−Ａ断面図、図６は図３のＢ−Ｂ断面図、図７は図３のＣ−Ｃ断面図、図８は図３のＤ−Ｄ断面図、図９は図８のＥ−Ｅ断面図、図１０は図８のＣ部分の拡大図である。
【００２６】
エンジン２は、例えば４気筒エンジンであって、図示しないクランクシャフトを回転可能に収容支持するクランクケース１０１と、ピストン（図示省略）を往復動可能に収容するシリンダ１０２と、シリンダ１０２の上面に設けられて動弁装置１００を収容するシリンダヘッド４０と、シリンダヘッド４０の上部に設けられるカムハウジング４１と、シリンダヘッド４０及びカムハウジング４１の上側を覆うヘッドカバー（図示省略）と、を備えて構成されている。
【００２７】
クランクケース１０１の上部後方にはメインギャラリ１０３が左右方向に配設されており、メインギャラリ１０３はクランクケース１０１の後側外壁に支持されている。これにより、クランクケース１０１の内部に設けられたオイルパン（図示省略）からオイルポンプ（図示省略）によって汲み上げられて圧送された潤滑オイルは、オイルフィルタ（図示省略）により濾過された後、メインギャラリ１０３に流入するようになっている。また、メインギャラリ１０３の端部側（本実施の形態では、右側）には短管１０４がメインギャラリ１０３から分岐するように後方に向かって突設されており、この短管１０４の上部に配管接続部１０５が突設されている。
【００２８】
シリンダヘッド４０の後側上部には、端部（本実施の形態では、右端部）に短管１０６が後方に向かって突設されており、この短管１０６の下部に配管接続部１０７が突設されている。シリンダヘッド４０の配管接続部１０７とメインギャラリ１０３の配管接続部１０５とは、可撓性を有する外部オイル配管１０８によって接続されており、この外部オイル配管１０８はシリンダ１０２及びシリンダヘッド４０の前記端部側の後方を上下方向に配設されている。
【００２９】
シリンダヘッド４０の後側外壁上部の内部には、オイル通路１０９が形成されており、オイル通路１０９は、短管１０６に連通するように前後方向に形成される前後通路部１１０と、該前後通路部１１０の前側上部に直交するように接続される上下方向に形成される上下通路部１１１と、により構成されている。
【００３０】
シリンダヘッド４０には、シリンダヘッド４０の幅方向すなわち車体前後方向の略中央部に、４基のスパークプラグ４２が車体左右方向に等間隔で配設されており、これらのスパークプラグ４２を挟んで車体前方側には吸気ポート４３が斜め上方に向かって開口され、車体後方側には排気ポート４４が斜め下方に向かって開口されている。
【００３１】
また、シリンダヘッド４０の上部には、下半円形状の複数の吸気側カムシャフト受部４７及び排気側カムシャフト受部４８がスパープラグ４２を挟んで千鳥掛けに配設されており、吸気側カムシャフト受部４７及び排気側カムシャフト受部４８の上に、互いに平行を成すように吸気側カムシャフト４５及び排気側カムシャフト４６が軸支される。
【００３２】
吸気側カムシャフト４５の一方の端部（本実施の形態では、左端部）には吸気側スプロケット５１が一体に回転可能に取り付けられ、排気側カムシャフト４６の一方の端部には排気側スプロケット５２が一体に回転可能に取り付けられている。吸気側カムシャフト４５及び排気側カムシャフト４６は、チェーンケース５３に覆われるタイミングチェーン５４により掛け渡されて回転駆動するように構成されており、タイミングチェーン５４はタイミングチェーン５４の上方に配設されたタイミングチェーンガイド５５により適正に走行するようになっている。また、シリンダヘッド４０には、吸気側カムスプロケット５１の回転を検出するカムポジションセンサ５６が取付けられている。
【００３３】
カムハウジング４１は、シリンダヘッド４０に支持される吸気側カムシャフト４５の上方に形成される吸気側カムハウジング６０と、シリンダヘッド４０に支持される排気側カムシャフト４６の上方に形成される排気側カムハウジング６１と、を備えている。
【００３４】
吸気側カムハウジング６０には、一方の端部から他方の端部（本実施の形態では、左側から右側）に向かって順に、第１〜第５の吸気側支持部６２ａ，６２ｂ，６２ｃ，６２ｄ，６２ｅがシリンダヘッド４０の吸気側カムシャフト受部４７に対応する位置にそれぞれ形成されている。各吸気側支持部６２ａ，６２ｂ，６２ｃ，６２ｄ，６２ｅは相互に一体に連結されており、各吸気側支持部６２ａ，６２ｂ，６２ｃ，６２ｄ，６２ｅの間には後述するカムフォーク９４のスライド範囲に合せてそれぞれ開口部６４が形成されている。
【００３５】
各吸気側支持部６２ａ，６２ｂ，６２ｃ，６２ｄ，６２ｅには、吸気側カムシャフト４５を上方から軸支可能なように上半円形状の上向き凹部６３がそれぞれ形成されており、この上向き凹部６３と吸気側カムシャフト受部４７とに沿って装着されたベアリング４９によって吸気側カムシャフト４５は軸支される。
【００３６】
各吸気側支持部６２ａ，６２ｂ，６２ｃ，６２ｄ，６２ｅの上部には、それぞれ軸受部６５ａ，６５ｂ，６５ｃ，６５ｄ，６５ｅが形成されており、各軸受部６５ａ，６５ｂ，６５ｃ，６５ｄ，６５ｅにはそれぞれ円柱形状の軸受穴６６が形成されている。各軸受穴６６には、フォークシャフト９０がその軸方向にスライド可能に支持されており、平面視で吸気側カムシャフト４５を挟んでフォークシャフト９０の反対側（すなわち、車体前方側）の位置に、フォークシャフト９０の駆動機構を構成する、モータ９３、ボールスクリュー９１及びギア群９２等が吸気側カムハウジング６０の上部に取り付けられている。フォークシャフト９０は、ボールスクリュー９１及びギア群９２を介してモータ９３の出力軸に接続されており、これにより、フォークシャフト９０は、モータ９３の作動によりその軸方向に所望量スライド移動するようになっている。
【００３７】
吸気側支持部６２ａ，６２ｂ，６２ｃ，６２ｄ，６２ｅの前端部及び後端部には、吸気側カムハウジング６０をシリンダヘッド４０に固定するためのボルト６７を螺挿可能な吸気側固定部６８ａ，６８ｂ，６８ｃ，６８ｄ，６８ｅがそれぞれ形成されている。
【００３８】
一方、排気側カムハウジング６１には、前記一方の端部から他方の端部に向かって順に、第１〜第４の排気側支持部７２ａ，７２ｂ，７２ｃ，７２ｄがシリンダヘッド４０の排気側カムシャフト受部４８に対応する位置にそれぞれ形成されている。各排気側支持部７２ａ，７２ｂ，７２ｃ，７２ｄは相互に一体に連結されており、前記一方の端部側の第１の排気側支持部７２ａと第２の排気側支持部７２ｂとの間には円柱形状のオイルプラグ７４用の嵌合凹部７５が形成されている。
【００３９】
各排気側支持部７２ａ，７２ｂ，７２ｃ，７２ｄには、排気側カムシャフト４６を上方から軸支可能なように上半円形状の上向き凹部７３がそれぞれ形成されており、この上向き凹部７３と排気側カムシャフト受部４８とに沿って装着されたベアリング（図示省略）によって排気側カムシャフト４６は軸支される。
【００４０】
各排気側支持部７２ａ，７２ｂ，７２ｃ，７２ｄの前端部及び後端部には、排気側カムハウジング６１をシリンダヘッド４０に固定するためのボルト６７を螺挿可能な排気側固定部７６ａ，７６ｂ，７６ｃ，７６ｄがそれぞれ形成されている。
【００４１】
第１の排気側支持部７２ａの前端部の排気側固定部７６ａはリブ状の第１補強部材７７ａにより第１の吸気側支持部６２ａの後端部の吸気側固定部６８ａに連結され、第１補強部材７７ａは吸気側固定部６８ａと排気側固定部７６ａとの間に平面視で斜め方向に掛け渡されている。
【００４２】
第２の排気側支持部７２ｂの前端部の排気側固定部７６ｂはリブ状の第２補強部材７７ｂにより第３の吸気側支持部６２ｃの後端部の吸気側固定部６８ｃに連結され、第３の排気側支持部７２ｃの前端部の排気側固定部７６ｃはリブ状の第３補強部材７７ｃにより第３の吸気側支持部６２ｃの後端部の吸気側固定部６８ｃに連結されている。すなわち、第２補強部材７７ｂは吸気側固定部６８ｃと排気側固定部７６ｂとの間に平面視で第１補強部材７７ａの反対側斜め方向に掛け渡され、第３補強部材７７ｃは吸気側固定部６８ｃと排気側固定部７６ｃとの間に平面視で第１補強部材７７ａと同一側斜め方向に掛け渡されており、第２補強部材７７ｂと第３補強部材７７ｃとで逆Ｖ字状を形成するように配置されている。
【００４３】
これにより、第３の吸気側支持部６２ｃは、カムシャフト４５，４６の軸方向において第２の排気側支持部７２ｂと第３の排気側支持部７２ｃとの間に配置され、第２補強部材７７ｂと第３補強部材７７ｃを介して第２の排気側支持部７２ｂと第３の排気側支持部７２ｃの２個の排気側支持部に連結されるため、カムハウジング４１の剛性や強度を十分に高めることができる。
【００４４】
第４の排気側支持部７２ｄの前端部の排気側固定部７６ｄはリブ状の第４補強部材７７ｄにより第５の吸気側支持部６２ｅの後端部の吸気側固定部６８ｅに連結されており、第４補強部材７７ｄは吸気側固定部６８ｅと排気側固定部７６ｄとの間に平面視で第１補強部材７７ａと反対側斜め方向に掛け渡されている。
【００４５】
吸気側カムハウジング６０と排気側カムハウジング６１とは、前記一方の端部側から他方の端部に向かって順に、第１〜第５の連結部材７８ａ，７８ｂ，７８ｃ，７８ｄ，７８ｅにより相互に連結されている。
【００４６】
第１〜第５の連結部材７８ａ，７８ｂ，７８ｃ，７８ｄ，７８ｅは、排気側カムハウジング６１の上部から吸気側カムハウジング６０に向かって下方に傾斜するように形成され、リブが設けられている。第１の連結部材７８ａは、吸気側カムハウジング６０及び排気側カムハウジング６１のそれぞれの一方の端部同士を連結し、また、第２の連結部材７８ｂは、第２の吸気側支持部６２ｂの後端部の吸気側固定部６８ｂと嵌合凹部７５とを連結し、さらに、第３の連結部材７８ｃは、第３の吸気側支持部６２ｃの後端部の吸気側固定部６８ｃと、排気側カムハウジング６１の第２の排気側支持部７２ｂと第３の排気側支持部７２ｃとの間の部分と、を連結し、さらに、第４の連結部材７８ｄは、第４の吸気側支持部６２ｄの後端部の吸気側固定部６８ｄと排気側カムハウジング６１の第３の排気側支持部７２ｃと第４の排気側支持部７２ｄとの間の部分とを連結し、さらに、第５の連結部材７８ｅは、吸気側カムハウジング６０及び排気側カムハウジング６１のそれぞれの他方の端部同士を連結している。
【００４７】
図６に示されているように、排気側カムハウジング６１の中央内部には、左右方向直線状にメインオイル通路８０が形成されており、メインオイル通路８０の他方の端部にはシリンダヘッド４０からの潤滑オイルの導入配管８１の上端部が接続されている。この導入配管８１は上下方向に配設されており、その下端部はオイル通路１０９の上下通路部１１１の上端部に接続されている。これにより、シリンダヘッド４０のオイル通路１０９と排気側カムハウジング６１のメインオイル通路８０とが連通される。
【００４８】
第１の連結部材７８ａ及び第３〜第５の連結部材７８ｃ，７８ｄ，７８ｅの内部には、メインオイル通路８０に直接連通するオイル連通路８２ａ，８２ｃ，８２ｄ，８２ｅがそれぞれ形成されている。また、第２の連結部材７８ｂの内部には、嵌合凹部７５に嵌合するオイルプラグ７４の外周面に形成されたオイル溝１１２を介してメインオイル通路８０に連通するオイル連通路８２ｂが形成されている。
【００４９】
吸気側カムハウジング６０の第１〜第５の吸気側支持部６２ａ，６２ｂ，６２ｃ，６２ｄ，６２ｅの内部には、オイル連通路８２ａ，８２ｂ，８２ｃ，８２ｄ，８２ｅとそれぞれ連通するようにオイル通路８３ａ，８３ｂ，８３ｃ，８３ｄ，８３ｅが形成されており、各オイル通路８３ａ，８３ｂ，８３ｃ，８３ｄ，８３ｅは、それぞれ軸受部６５ａ，６５ｂ，６５ｃ，６５ｄ，６５ｅの各軸受穴６６に連通するように形成されている。
【００５０】
また、第２〜第５の吸気側支持部６２ｂ，６２ｃ，６２ｄ，６２ｅの内部には、シリンダヘッド４０の動弁装置を構成するタペット（図示省略）用のオイルジェット孔７９ｂ，７９ｃ，７９ｄ，７９ｅが形成されている。
さらに、第４の吸気側支持部６２ｄの内部には、カムポジションセンサ５６のケース内のシャフト潤滑用のオイル通路８４ｄが形成されている。
【００５１】
吸気側カムシャフト４５は４気筒に跨って延設されており、吸気側カムシャフト４５には４気筒に対応して４個のカム８５が装着されている。カム８５は３次元カムであり、吸気側カムシャフト４５の軸方向に対して傾斜するカム面８６を有しており、バルブリフト量を連続的に変化させる形状を有している。この場合、カム８５は、カム高さと同時にカム作用角及びリフトタイミングも変化するように形成されており、バルブリフト量が大きくなるのに従ってカム作用角が大きくなり、更にはバルブのリフトタイミングも変化させ得るように設定されている。
【００５２】
吸気側カムシャフト４５とカム８５との間にはキー（図示省略）が介装されており、吸気側カムシャフト４５に対するカム８５の相対的な回転が規制されると共に、カム８５が吸気側カムシャフト４５に沿ってスライド可能となっている。
【００５３】
吸気側カムシャフト４５は中空構造を有しており、その中空内部がオイル通路８７となっており、オイル通路８７の左右両端部はそれぞれプラグ８８で塞がれている。また、吸気側カムシャフト４５にはカム８５の装着位置に対応して径方向にそれぞれカム用オイル孔８９が穿設されている。
【００５４】
図８〜図１０に示されているように、吸気側カムシャフト４５の一方の端部には、別のオイル孔３１が穿設されており、このオイル孔３１に対応するように吸気側カムシャフト４５にはカムシャフトリング３２が嵌着されている。カムシャフトリング３２には、オイル孔３１に合致するようにカムシャフトリングオイル孔３３が穿設され、カムシャフトリング３２の外周面にはカムシャフトリングオイル孔３３に連通するように環状のリングオイル溝３４が形成されている。
【００５５】
なお、カムシャフトリング３２は必ずしも設置する必要はなく、カムシャフトリング３２を省略した場合には、リングオイル溝３４は吸気側カムシャフト４５の外周面に形成される。
【００５６】
カムシャフトリング３２の外周にはオイルサプライリング３５が遊嵌されており、オイルサプライリング３５の上半部分３５ａは吸気側カムハウジング６０の上向き凹部６３に形成された環状溝部３６に嵌合している。
【００５７】
オイルサプライリング３５の上半部分３５ａには、円弧状に切り欠きされた小径部３７が形成されている。この小径部３７の外周面と環状溝部３６の内周面の間には、円弧状のオイル路３８が形成されており、このオイル路３８は、第１の吸気側支持部６２ａのオイル通路８３ａの一部を構成している。また、オイルサプライリング３５には、このオイル路３８とカムシャフトリングオイル溝３４とを連通させるように径方向にオイルサプライリングオイル孔３９が形成されている。なお、このオイルサプライリングオイル孔３９は、図９では２本示されているが、１本又は３本以上設けられても良い。
【００５８】
オイルサプライリング３５の下半部分３５ｂは上半部分３５ａの小径部３７よりさらに小径の半円形状を有し、シリンダヘッド４０に嵌合しており、これにより、オイルサプライリング３５の回転が規制されるようになっている。また、オイルサプライリング３５の外周面と吸気側カムハウジング６０の環状溝部３６の内周面との間にはクリアランス９９が形成されている。
【００５９】
フォークシャフト９０には、各カム８５に対応して４個のカムフォーク９４が支持されており、カムフォーク９４はフォークシャフト９０と一体にその軸方向にスライド可能に設けられている。カムフォーク９４は、フォークシャフト９０に対して直交する方向の吸気側カムシャフト４５側へ延出し、その先端部９４ａ，９４ｂは軸方向に二股状に形成されている。
【００６０】
カム８５のカム高さの低い側（ローリフト側）の端部９５には、カムフォーク９４との間に転がり軸受９６が装着されている。カムフォーク９４のカム面８６側の先端部９４ａは、転がり軸受９６のカム面８６側の端面に当接しており、その一部分がカム面８６のローリフト側にオーバーラップするように形成されている。
【００６１】
転がり軸受９６の径方向外側には、ベアリングリング９７がＣリング９８を介して装着されており、カムフォーク９４の反カム面側の先端部９４ｂは、ベアリングリング９７の反カム面側の端面に当接している。
【００６２】
これにより、フォークシャフト９０がその軸方向にスライドするのに連動又は同期して、カム８５が吸気側カムシャフト４５に沿ってそれぞれスライドするようになっている。
なお、排気側カムシャフト４６回りの基本的な構成は、上記した吸気側カムシャフト４５回りの構成と同様であるので、その構成の詳細な説明は省略する。
【００６３】
上記した構成を備えたエンジン２において、アクセル操作すると、モータ９３が作動し、モータ９３の出力軸の回転によってボールスクリュー９１及びギア群９２を介してフォークシャフト９０がその軸方向に所望量スライド移動する。このフォークシャフト９０のスライド動作に伴い、各気筒において、カムフォーク９４がフォークシャフト９０の軸方向にスライドし、これにより、カム８５は吸気側カムシャフト４５に沿ってそれぞれスライドし、アクセル開度に応じてバルブリフト量及び作用角が無段階に可変制御される。そして、アイドル回転域から全開域まで吸排気量が好適にコントロールされ、エンジン回転数（又は車両速度）に最も適した吸排気が行われる。
【００６４】
この時、クランクケース１０１の内部に設けられたオイルパン（図示省略）からオイルポンプ（図示省略）によって汲み上げられて圧送された潤滑オイルは、オイルフィルタ（図示省略）により濾過された後、メインギャラリ１０３に流入する。その後、メインギャラリ１０３内の潤滑オイルは、外部オイル配管１０８及びシリンダヘッド４０の内部のオイル通路１０９を通り、導入配管８１からメインオイル通路８０、オイル連通路８２ａ，８２ｂ，８２ｃ，８２ｄ，８２ｅ、及び第１〜第５の吸気側支持部６２ａ，６２ｂ，６２ｃ，６２ｄ，６２ｅのオイル通路８３ａ，８３ｂ，８３ｃ，８３ｄ，８３ｅを通って、軸受部６５ａ，６５ｂ，６５ｃ，６５ｄ，６５ｅの各軸受穴６６に供給される。
【００６５】
また、第１の吸気側支持部６２ａのオイル通路８３ａの円弧状のオイル路３８、オイルサプライリングオイル孔３９、リングオイル溝３４、カムシャフトリングオイル孔３３、吸気側カムシャフト４５のオイル孔３１、オイル通路８７、及びそれぞれのカム用オイル孔８９を通って、吸気側カムシャフト４５と各カム８５の間に潤滑オイルが供給される。
【００６６】
さらに、第２〜第５の吸気側支持部６２ｂ，６２ｃ，６２ｄ，６２ｅの内部のオイルジェット孔７９ｂ，７９ｃ，７９ｄ，７９ｅを介してシリンダヘッド４０の動弁装置１００を構成するタペットに潤滑オイルが供給されると共に、第４の吸気側支持部６２ｄの内部のオイル通路８４ｄを介してカムポジションセンサ５６のケース内のシャフトに潤滑オイルが供給される。
このように、吸気側カムシャフト４５やカム８５を駆動させるための機構に対して潤滑オイルが容易且つ確実に供給される。
【００６７】
上記した本発明の実施の形態に係る潤滑構造によれば、メインギャラリ１０３とシリンダヘッド４０のオイル通路１０９とを外部オイル配管１０８で接続することにより、メインギャラリ１０３からオイル通路１０９に至る経路を短くし、曲がり部を少なくすることができるため、潤滑オイルがオイル配管１０８を流通する際の抵抗を低減することができ、潤滑オイルを効率よく動弁装置１００等に供給することができる。
【００６８】
また、排気側カムハウジング６１に直線状にメインオイル通路８０が形成され、そのメインオイル通路８０の一端に接続された導入配管８１を介してシリンダヘッド４０のオイル通路１０９が接続されているため、オイル通路の圧力損失を低減し、潤滑オイルを各部に効率よく供給することができる。
【００６９】
また、シリンダヘッド４０の配管接続部１０７に外部から外部オイル配管１０８を接続することができるため、メインギャラリ１０３からメインオイル通路８０に至るオイル通路がレイアウト面での制約を受け難くなり、潤滑オイルがオイル通路を流通する際の抵抗を低減することができ、潤滑オイルを効率よく各部に供給することができる。
【００７０】
また、吸気側カムシャフト４５と吸気側支持部６２ａとの間にオイルサプライリング３５を設け、オイルサプライリング３５の外周面と吸気側支持部６２ａの内周面と間に吸気側カムハウジング４５の内部のオイル通路８３ａの一部を構成するオイル路３８を形成し、オイル通路８３ａをフォークシャフト９０の軸受部６５ａの軸受穴６６に連通させることにより、吸気側カムハウジング６０にドリル等でオイル経路を加工したりして吸気側カムハウジング６０の剛性や強度を損なうことなく、軸受部６５ａへ至るオイル経路を容易に製造することができると共に、できるだけ短く形成することができる。
【００７１】
また、オイルサプライリング３５及び吸気側カムシャフト４５にオイル路３８から吸気側カムシャフト４５の内部に向かうオイル孔３１，３３，３９が径方向に形成されているため、フォークシャフト９０に対するオイルの供給だけでなく、吸気側カムシャフト４５に対するオイルの供給を容易且つ確実に行うことができる。
【００７２】
また、オイル路３８をオイルサプライリング３５の外周部を円弧状に切り欠くことにより形成することにより、フォークシャフト９０へ向かうオイルの流れを円滑にすることができる。
【００７３】
なお、上記した実施の形態の説明では、本発明に係る内燃機関の潤滑構造における好適な実施の形態について説明しているため、技術的に好ましい種々の限定を付している場合もあるが、本発明の技術範囲は、特に本発明を限定する記載がない限り、これらの態様に限定されるものではない。すなわち、上記した本発明の実施の形態におけるすべての構成要素は、適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００７４】
２              エンジン（内燃機関）
４０            シリンダヘッド
４１            カムハウジング
４５            吸気側カムシャフト
４６            排気側カムシャフト
７９ｂ〜７９ｅ  オイルジェット孔
８０            メインオイル通路（第１のオイル通路）
１００          動弁装置
１０１          クランクケース
１０２          シリンダ
１０３          メインギャラリ
１０７          配管接続部
１０８          外部オイル配管
１０９          オイル通路（第２のオイル通路）
【図１】
0005915209.tif 000002
【図２】
0005915209.tif 000003
【図３】
0005915209.tif 000004
【図４】
0005915209.tif 000005
【図５】
0005915209.tif 000006
【図６】
0005915209.tif 000007
【図７】
0005915209.tif 000008
【図８】
0005915209.tif 000009
【図９】
0005915209.tif 000010
【図１０】
0005915209.tif 000011